(57)【要約】【課題】台木に穂木を接ぎ木するための接ぎ木具であって、手作業で接ぎ木作業を行う場合でも、手指に刺さる危険を低減して簡便かつ効率良く接ぎ木作業ができ、台木に挿し入れる際の挿し入れ長さの目安となる変形部分を設ける必要がないため台木と穂木との接合面の良好な密着性をもたらすことができ、取り外し作業も容易に行える接ぎ木具を提供する。【解決手段】穂木１を貫通して台木２内にまたは台木２を貫通して穂木１内に刺し込まれる針状部１１と、この針状部１１の基端に形成された膨出頭部１２とを有するとともに、針状部１１を中空針１１ａとし、この中空針１１ａを通して薬剤を穂木１および台木２内に浸み込ませるようにしたことを特徴とする。この接ぎ木具は、針状部を、穂木および台木の軸と同じ方向（縦方向）あるいは軸と直角な方向（横方向）のいずれにも刺し込んで使用できる。針状部を中空針にすることで、薬液を針状部を介して穂木および台木に浸み込ませることができる。【選択図】     図１
2011097959.tif 000002
【特許請求の範囲】
【請求項１】
台木接合面と穂木接合面とを接合させて密着支持するための接ぎ木具であって、穂木を貫通して台木内にまたは台木を貫通して穂木内に刺し込まれる針状部と、該針状部の基端に形成された膨出頭部とを有するとともに、前記針状部を中空針とし、この中空針を通して薬剤を穂木および台木内に浸み込ませるようにしたことを特徴とする台木に穂木を接ぎ木するための接ぎ木具。
【請求項２】
前記膨出頭部を平板形状または球形状としたことを特徴とする請求項１に記載の接ぎ木具。
【請求項３】
前記膨出頭部を、台木および穂木の外周に沿って台木および穂木の軸方向に伸びる湾曲板形状としたことを特徴とする請求項１に記載の接ぎ木具。
【請求項４】
前記膨出頭部内に薬液溜部を設け、薬液溜部に含有せしめた薬液を中空針を通して穂木および台木内に浸み込ませるようにしたことを特徴とする請求項１〜３のいずれか１項にに記載の接ぎ木具。
【発明の詳細な説明】
【技術分野】
【０００１】
本発明は、果樹類、果菜類、花き類等の接ぎ木を施す際に、台木と穂木とを密着支持するために使用する接ぎ木具に関するものである。
【背景技術】
【０００２】
台木の接合面と穂木の接合面とを突き合わせて密着支持するための接ぎ木具としては、従来から接合面の突き合わせ部外周に取り付けるクリップや、台木と穂木に刺し込まれるピン等が従来から用いられている。
【０００３】
ピン形式の接ぎ木具としては、例えば下記特許文献１で提案されているような図１１に図示した接ぎ木用支持具がある。図１１の支持具２０は、台木２の接ぎ木接合端から台木の茎中に挿し入れられる第１の棒状部分２１と、穂木２の接ぎ木接合端から穂木の茎中に挿し入れられる第２の棒状部分２２とが軸方向に連続して形成されている棒状部材からなり、この棒状部材の大きさが直径０．１〜０．５ｍｍ、長さ１０〜５０ｍｍとされている。また棒状部材に薬剤が含有されているもの、さらには、図１２に図示したように、棒状部材を台木２に挿し入れる際に、挿し入れる長さの目安とする変形部分２３を棒状部材の中央連結部分に設けたものも提案されている。
【先行技術文献】
【特許文献】
【０００４】
【特許文献１】特開第２５５９３２３号公報
【発明の概要】
【発明が解決しようとする課題】
【０００５】
しかしながら、図１１に図示したような直径０．１〜０．５ｍｍ程度の両端を尖らせた棒状部材からなる接ぎ木用支持具２０を用いて手作業で接ぎ木作業を行う場合には、作業者の手指に棒状部材が刺さる危険があり、特に棒状部材に薬剤を含有している場合には薬害の心配もある。
【０００６】
また図１２のように、棒状部材を台木２に挿し入れる際に挿し入れる長さの目安となる変形部分２３を中央連結部分に設けた場合には、台木２と穂木１との接合面の密着が悪くなることも考えられる。
【０００７】
さらには、接ぎ木作業が失敗したときや栽培終了時に、棒状部材を取り外す必要がある場合には、茎中に棒状部材全体が挿入されているため、取り外し作業が面倒となる。
【０００８】
本発明は、かかる事情に鑑みてなされたもので、手作業で接ぎ木作業を行う場合でも、手指に刺さる危険を低減して簡便かつ効率良く接ぎ木作業ができ、台木に挿し入れる際の挿し入れ長さの目安となる変形部分を設ける必要がないため台木と穂木との接合面の良好な密着性をもたらすことができ、取り外し作業も容易に行える接ぎ木具を提供することを目的としてなされたものである。
【課題を解決するための手段】
【０００９】
上記課題を解決するために、請求項１に記載の発明は、台木接合面と穂木接合面とを接合させて密着支持するための接ぎ木具であって、穂木を貫通して台木内にまたは台木を貫通して穂木内に刺し込まれる針状部と、該針状部の基端に形成された膨出頭部とを有するとともに、前記針状部を中空針とし、この中空針を通して薬剤を穂木および台木内に浸み込ませるようにしたことを特徴とするものである。
【００１０】
また、請求項２に記載の発明は、請求項１に記載の発明において、前記膨出頭部を平板形状または球形状としたことを特徴とするものである。
【００１１】
そして、請求項３に記載の発明は、請求項１に記載の発明において、前記膨出頭部を、台木および穂木の外周に沿って台木および穂木の軸方向に伸びる湾曲板形状としたことを特徴とするものである。
【００１２】
さらに、請求項４に記載の発明は、請求項１〜３のいずれか１項に記載の発明において、前記膨出頭部内に薬液溜部を設け、薬液溜部に含有せしめた薬液を中空針を通して穂木および台木内に浸み込ませるようにしたことを特徴とするものである。
【発明の効果】
【００１３】
請求項１〜４に記載の本発明によれば、穂木を貫通して台木内にまたは台木を貫通して穂木内に刺し込まれる針状部と、この針状部の基端に形成された膨出頭部とを有する構成としたため、穂木および台木内に刺し込む針状部の先端のみを尖らせ、基端は手指で押し込むための膨出頭部を設けるから、尖った針状部先端が手指に刺さる危険を低減できるとともに、膨出頭部を手指で押し込むだけで容易かつ簡単に針状部の刺し込みを行うことができ、さらには、接ぎ木具の基端膨出頭部を手指で完全に押し込むことにより穂木接合面と台木接合面との良好な密着性が得られる。
【００１４】
また、接ぎ木具の膨出頭部を、台木および穂木の外周に沿って台木および穂木の軸方向に伸びる湾曲板形状とすることによって、穂木に枝葉がついている側が重くなるような場合に、接合面に回転モーメントが作用して接合面で折れ曲がりやくなるのを効果的に防止することができる。
【００１５】
さらに、接ぎ木具の針状部を中空針とすることにより、中空針を通して薬液を点滴注射のように所定期間にわたって継続的に穂木および台木内に浸み込ませることができる。
【図面の簡単な説明】
【００１６】
【図１】本発明の接ぎ木具の使用例を示す説明図である。
【図２】本発明の接ぎ木具の膨出頭部形状の一例を示す説明図である。
【図３】本発明の接ぎ木具の膨出頭部形状の他の例を示す説明図である。
【図４】本発明の接ぎ木具の針状部を中空針とした実施例を示す説明図である。
【図５】本発明の接ぎ木具の別な実施例を示す説明図である。
【図６】本発明の接ぎ木具のさらに別な実施例を示す説明図である。
【図７】本発明の接ぎ木具のさらに別な実施例を示す説明図である。
【図８】本発明の接ぎ木具を横方向に刺し込んで使用する例を示す説明図である。
【図９】本発明の接ぎ木具を横方向に刺し込んで使用する他の例を示す説明図である。
【図１０】本発明の接ぎ木具の膨出頭部形状のさらに別な例を示す説明図である。
【図１１】従来の接ぎ木用支持具の例を示す説明図である。
【図１２】従来の接ぎ木用支持具の他の例を示す説明図である。
【発明を実施するための形態】
【００１７】
図２は本発明の接ぎ木具１０の実施例を示すものであり、先端を尖らせた針状部１１と、この針状部の基端に形成した膨出頭部１２とから構成されている。図２では、膨出頭部１２は円形の平板形状として形成してあるが、図３に示したように球状の膨出頭部とすることもできる。要するにこの膨出頭部１２、１２ａは、接ぎ木具１０全体が穂木１内に刺し込まれることのないようにストッパーの機能を有するとともに、手指で押し込みやすい形状であればいかなる形状としてもよい。
【００１８】
本発明の接ぎ木具の寸法は、接ぎ木の対象となる穂木あるいは台木の大小、さらには果樹、野菜、花き等といった植物の種類によって変わるものであり、その都度、適切な寸法の接ぎ木具を使用すればよい。一般的には、針状部の太さは０．１〜２ｍｍ程度、長さは５〜１００ｍｍ程度のものが使用しやすい。また、針状部の形状としては、断面形状が円形、三角形、四角形、六角形等の棒状体とすることができ、さらには注射針のような中空体とすることもできる。
【００１９】
針状部の材質は、植物体中に刺し込んでも植物の生育に悪影響のない材質であれば、いかなる材質でも使用できる。例えば、植物体中に刺し込んでも錆びない金属や、錆びる可能性がある金属でも防錆処理を施したものであれば使用できる。さらには、多孔質植物材（竹等）、多孔質セラミック材（シリカ、アルミナ、ジルコニア、レンガ、陶磁器等）、多孔質カーボン材（黒鉛、グラファイト等）、多孔質プラスチック材、多孔質金属材、多孔質ガラス材等も必要に応じて使用できる。また、膨出頭部は、針状部と同じ材質により一体的に作製することができ、あるいは必要に応じて針状部とは異なる材質で別途作製した後に、針状部基端と接着してもよい。
【００２０】
また、従来の接ぎ木具と同様に、針状部１１に植物成長促進剤や抗菌剤等の薬剤を塗布あるいは含浸させておくこともできる。特に膨出頭部１２に枝枯れ防止用の薬剤を塗布しておくことにより、接ぎ木時に起こりやすい枝枯れ現象の回避に効果がある。
【００２１】
図４に示したように、本発明の接ぎ木具１０の針状部１１を注射針のような中空針１１ａとし、この中空針１１ａの基端をゴム管１３等を介して薬液ビン１４等の薬剤供給源に接続するようにすれば、点滴注射のように薬液を所定期間にわたって継続的に穂木および台木内に浸み込ませることができる。中空針１１ａの先端だけでなく、中空針の途中に多数の細孔（図示せず）を設け、これらの細孔の大きさや数を調整することによって、薬液の浸込量をコントロールすることも可能である。
【００２２】
図５に示した実施例では、頂部を開口した皿状の薬液溜部を設けた膨出頭部１２ｂを備えている。この膨出頭部１２ｂの皿状の薬液溜部内に薬液を滴下して貯めておくことにより、この薬液を中空針１１ａからなる針状部から穂木および台木内に浸み込ませることができる。
【００２３】
図６に示した実施例では、中空球状の薬液溜部を設けた膨出頭部１２ｃを備え、その頂部には孔１６が形成されている。孔１６から球状膨出頭部１２ｃ内の薬液溜部に薬液を入れて貯めておけば、中空針１１ａからなる針状部から穂木および台木内に薬液を浸み込ませることができる。
【００２４】
図７に示した実施例においては、多孔質材質からなる膨出頭部１２ｄと多孔質材質からなる針状部１１ｂとを有している。多孔質膨出頭部１２ｄに薬液を含有させておくことにより、この薬液が多孔質針状部１１ｂの毛管作用により吸引され穂木および台木内に薬液を徐々に浸み込ませることができる。この場合、多孔質膨出頭部１２ｄと多孔質針状部１１ｂの空隙率を調整することにより、多孔質針状部１１ｂの毛管作用による薬液吸引量をコントロールすることも可能である。なお、図４〜図６に示した中空針１１ａからなる針状部に代えて、図７に示したような多孔質針状部１１ｂを使用することにより、多孔質針状部１１ｂを介して薬液を穂木および台木内に浸み込ませることもできる。
【００２５】
本発明の接ぎ木具を用いて接ぎ木を行うに際しては、図１に示したように穂木１および台木２の軸と同じ方向（縦方向）に針状部１１を刺し込む場合だけでなく、図８の（ａ）〜（ｃ）に示したように、穂木１と台木２の接合面３、４のカットの仕方によっては、穂木１および台木２の軸に対して直角方向（横方向）に針状部１１を刺し込むこともできる。
【００２６】
図８（ａ）〜（ｃ）のように接ぎ木具の針状部を横方向に刺し込んで使用すると、針状部１１先端が穂木１または台木２の反対側に突き抜けてしまう場合がある。この場合には、図９に示したように、突き抜けた針状部１１先端に安全のためにキャップ１５を取り付けることが望ましい。
【００２７】
図８（ａ）〜（ｃ）のように接ぎ木具の針状部１１を横方向に刺し込んで使用する場合、穂木１に枝葉がついている側が重くなるため、接合面３、４に回転モーメントが作用して接合面で折れ曲がりやすくなることがある。これを防止するために、図１０に示したように、膨出頭部１２ｂを、穂木１および台木２の外周に沿って台木および穂木の軸方向に延びる湾曲板形状とし、添え木のような作用をもたせることが望ましい。
【００２８】
なお、接ぎ木具の針状部を横方向に刺し込む図８〜図１０に図示した実施例においては、穂木１側から針状部１１を刺し込む例が示されているが、台木２側から針状部１１を刺し込むようにして使用することもできる。
【００２９】
本発明の接ぎ木具を使用するに際しては、図１に示したように、穂木接合面３と台木接合面４とを接合させた状態で、穂木１頂部から接ぎ木具１０の針状部１１の先端を穂木１内に刺し込み、穂木接合面３さらには台木接合面４を貫通させて台木２内に刺し込む。針状部１１を刺し込む際には、接ぎ木具１０基端の膨出頭部１２を作業者の手指で押し込めばよい。
【００３０】
あるいはまた、先ず穂木１部分のみに接ぎ木具１０の針状部１１を刺し込み、穂木接合面３から針状部１１先端が突き出た状態としておき、この状態とした後さらに台木接合面４から台木２内に針状部１１を刺し込むことにより、穂木接合面３と台木接合面４とを密着させるようにすることもできる。
【００３１】
かような本発明の接ぎ木具１０によれば、穂木１および台木２内に刺し込む針状部１１の先端のみを尖らせ、基端は手指で押し込むための膨出頭部１２を設けたから、膨出頭部１２を持って取り扱うことにより尖った針状部１１先端が手指に刺さる危険を低減できるとともに、膨出頭部１２を手指で押し込むだけで容易かつ簡単に針状部１１の刺し込みを行うことができ、さらには、接ぎ木具の基端膨出頭部１２を手指で完全に押し込むことにより穂木接合面３と台木接合面４との良好な密着性が得られる。
【００３２】
また、穂木１の長さを所定長さに規定しておくことにより、台木２に刺し込む長さの目安となる変形部分を接ぎ木具の針状部１１に形成する必要がないため、穂木接合面３と台木接合面４との接着性を良好にできるとともに、変形部分を形成するための加工が不要となるため製造コストも低減できる。
【００３３】
本発明の接ぎ木具は、図１に示したように穂木１および台木２の軸と同じ方向（縦方向）に針状部１１を刺し込む場合だけでなく、図８の（ａ）〜（ｃ）に示したように、穂木１と台木２の接合面３、４のカットの仕方によっては、穂木１および台木２の軸に対して直角方向（横方向）に針状部１１を刺し込むこともできる。横方向に針状部１１を刺し込む場合には、台木側から針状部１１を刺し入れ、接合面３、４を貫通して穂木内に刺し込むようにして使用することもできる。
【産業上の利用可能性】
【００３４】
台木接合面と穂木接合面とを接合させて密着支持する際に利用することができる。
【符号の説明】
【００３５】
１：  穂木
２：  台木
３、４：  接合面
１０：  接ぎ木具
１１、１１ａ、１１ｂ：  針状部
１２、１２ａ、１２ｂ、１２ｃ、１２ｄ：  膨出頭部
【図１】
2011097959.tif 000003
【図２】
2011097959.tif 000004
【図３】
2011097959.tif 000005
【図４】
2011097959.tif 000006
【図５】
2011097959.tif 000007
【図６】
2011097959.tif 000008
【図７】
2011097959.tif 000009
【図８】
2011097959.tif 000010
【図９】
2011097959.tif 000011
【図１０】
2011097959.tif 000012
【図１１】
2011097959.tif 000013
【図１２】
2011097959.tif 000014